(57)【要約】【課題】記録媒体に応じた画像形成を高精度に行うことを可能にする。【解決手段】メモリ７００が、記録媒体の種別に応じた画像形成制御条件を予め記憶する。一方、ＲＦＩＤタグ読取り部２７３が、画像形成が行われるべき記録媒体に埋め込まれたＲＦＩＤタグから該記録媒体の種別を示すデータを取得する。そして、プリンタ制御部００１が、メモリ７００から、この取得された種別を示すデータに対応する画像形成制御条件を読み出し、この画像形成制御条件に基づき、画像形成装置の動作を制御する。【選択図】図５
2007199113.tif 000002
【特許請求の範囲】
【請求項１】
内部に記憶されたデータを要求に応じて無線で送信することが可能なデータ送信子が埋め込まれた各種の記録媒体に対して画像形成を行う画像形成装置において、
記録媒体の種別に応じた画像形成制御条件を記憶する記憶手段と、
画像形成が行われるべき記録媒体に埋め込まれたデータ送信子から該記録媒体の種別を示すデータを取得するデータ取得手段と、
前記記憶手段から、前記データ取得手段によって取得された種別を示すデータに対応する画像形成制御条件を読み出す読出手段と、
前記読出手段によって読み出された画像形成制御条件に基づき、前記画像形成装置の動作を制御する制御手段と
を有することを特徴とする画像形成装置。
【請求項２】
前記画像形成制御条件は、画像形成時に前記記録媒体を搬送する速度であることを特徴とする請求項１記載の画像形成装置。
【請求項３】
前記画像形成制御条件は、前記記録媒体に対する画像形成の基となる画像データの画像処理条件であることを特徴とする請求項１記載の画像形成装置。
【請求項４】
前記画像形成装置は、感光体上に潜像を形成するための潜像形成手段と、前記感光体上に形成された潜像を現像するための現像手段と、前記感光体上に現像された画像を記録媒体に転写するための転写手段と、前記記録媒体に転写された画像を定着するための定着手段とをさらに有し、
前記画像形成制御条件は、前記潜像形成手段、現像手段、転写手段、および定着手段のうち少なくとも１つに対して前記記録媒体の種別に対応して設定される制御条件であることを特徴とする請求項１記載の画像形成装置。
【請求項５】
前記記憶手段は、記録媒体のサイズ情報、記録媒体の厚み情報、記録媒体の紙種情報、記録媒体の色情報、記録媒体の製造年月、記録媒体の製造メーカ情報のうち少なくとも１つの情報を記憶していることを特徴とする請求項１記載の画像形成装置。
【請求項６】
前記記憶手段は、記録媒体の厚み情報を記憶し、
前記画像形成装置において複数の記録媒体を積載して後処理を行う場合に、前記制御手段は、前記読出手段によって読み出された記録媒体の厚み情報に基づき、前記後処理における記録媒体の積載厚みを算出し、該積載厚みが所定値を越えていれば警報を通知することを特徴とする請求項１記載の画像形成装置。
【請求項７】
前記記憶手段は、紙搬送速度設定値、高圧設定値、ガンマテーブルＮｏ、定着ヒータ温調設定値のうち少なくとも１つの情報を記憶していることを特徴とする請求項１記載の画像形成装置。
【請求項８】
前記画像形成装置は、記録媒体の湿り度合を検出する湿り度合検出手段をさらに有し、
前記記憶手段は、記録媒体の種別および湿り度合に応じた画像形成制御条件を記憶し、
前記読出手段は、前記記憶手段から、前記データ取得手段によって取得された種別を示すデータと、前記湿り度合検出手段によって検出された湿り度合とに対応する画像形成制御条件を読み出すことを特徴とする請求項１記載の画像形成装置。
【請求項９】
内部に記憶されたデータを要求に応じて無線で送信することが可能なデータ送信子が埋め込まれた各種の記録媒体に対して画像形成を行う画像形成装置において、
記録媒体の種別に応じた画像形成制御条件を記憶する外部装置に、ネットワークを介して接続するための接続手段と、
画像形成が行われるべき記録媒体に埋め込まれたデータ送信子から該記録媒体の種別を示すデータを取得するデータ取得手段と、
前記接続手段を介して前記外部装置から、前記データ取得手段によって取得された種別を示すデータに対応する画像形成制御条件を読み出す読出手段と、
前記読出手段によって読み出された画像形成制御条件に基づき、前記画像形成装置の動作を制御する制御手段と
を有することを特徴とする画像形成装置。
【請求項１０】
前記画像形成制御条件は、画像形成時に前記記録媒体を搬送する速度であることを特徴とする請求項９記載の画像形成装置。
【請求項１１】
前記画像形成制御条件は、前記記録媒体に対する画像形成の基となる画像データの画像処理条件であることを特徴とする請求項９記載の画像形成装置。
【請求項１２】
前記画像形成装置は、感光体上に潜像を形成するための潜像形成手段と、前記感光体上に形成された潜像を現像するための現像手段と、前記感光体上に現像された画像を記録媒体に転写するための転写手段と、前記記録媒体に転写された画像を定着するための定着手段とをさらに有し、
前記画像形成制御条件は、前記潜像形成手段、現像手段、転写手段、および定着手段のうち少なくとも１つに対して前記記録媒体の種別に対応して設定される制御条件であることを特徴とする請求項９記載の画像形成装置。
【請求項１３】
前記外部装置は、記録媒体のサイズ情報、記録媒体の厚み情報、記録媒体の紙種情報、記録媒体の色情報、記録媒体の製造年月、記録媒体の製造メーカ情報のうち少なくとも１つの情報を記憶していることを特徴とする請求項９記載の画像形成装置。
【請求項１４】
前記外部装置は、記録媒体の厚み情報を記憶し、
前記画像形成装置において複数の記録媒体を積載して後処理を行う場合に、前記制御手段は、前記読出手段によって読み出された記録媒体の厚み情報に基づき、前記後処理における記録媒体の積載厚みを算出し、該積載厚みが所定値を越えていれば警報を通知することを特徴とする請求項９記載の画像形成装置。
【請求項１５】
前記外部装置は、紙搬送速度設定値、高圧設定値、ガンマテーブルＮｏ、定着ヒータ温調設定値のうち少なくとも１つの情報を記憶していることを特徴とする請求項９記載の画像形成装置。
【請求項１６】
前記画像形成装置は、記録媒体の湿り度合を検出する湿り度合検出手段をさらに有し、
前記外部装置は、記録媒体の種別および湿り度合に応じた画像形成制御条件を記憶し、
前記読出手段は、前記外部装置から、前記データ取得手段によって取得された種別を示すデータと、前記湿り度合検出手段によって検出された湿り度合とに対応する画像形成制御条件を読み出すことを特徴とする請求項９記載の画像形成装置。
【請求項１７】
記録媒体の種別に応じた画像形成制御条件を記憶する記憶手段を備え、内部に記憶されたデータを要求に応じて無線で送信することが可能なデータ送信子が埋め込まれた各種の記録媒体に対して画像形成を行う画像形成装置に適用される画像形成方法において、
画像形成が行われるべき記録媒体に埋め込まれたデータ送信子から該記録媒体の種別を示すデータを取得するデータ取得ステップと、
前記記憶手段から、前記データ取得ステップにおいて取得された種別を示すデータに対応する画像形成制御条件を読み出す読出ステップと、
前記読出ステップにおいて読み出された画像形成制御条件に基づき、前記画像形成装置の動作を制御する制御ステップと
を有することを特徴とする画像形成方法。
【請求項１８】
記録媒体の種別に応じた画像形成制御条件を記憶する外部装置にネットワークを介して接続するための接続手段を備え、内部に記憶されたデータを要求に応じて無線で送信することが可能なデータ送信子が埋め込まれた各種の記録媒体に対して画像形成を行う画像形成装置に適用される画像形成方法において、
画像形成が行われるべき記録媒体に埋め込まれたデータ送信子から該記録媒体の種別を示すデータを取得するデータ取得ステップと、
前記接続手段を介して前記外部装置から、前記データ取得ステップにおいて取得された種別を示すデータに対応する画像形成制御条件を読み出す読出ステップと、
前記読出ステップによって読み出された画像形成制御条件に基づき、前記画像形成装置の動作を制御する制御ステップと
を有することを特徴とする画像形成方法。
【請求項１９】
記録媒体の種別に応じた画像形成制御条件を記憶する記憶手段を備え、内部に記憶されたデータを要求に応じて無線で送信することが可能なデータ送信子が埋め込まれた各種の記録媒体に対して画像形成を行う画像形成装置に適用される画像形成方法を、コンピュータに実行させるためのプログラムにおいて、
画像形成が行われるべき記録媒体に埋め込まれたデータ送信子から該記録媒体の種別を示すデータを取得するデータ取得ステップと、
前記記憶手段から、前記データ取得ステップにおいて取得された種別を示すデータに対応する画像形成制御条件を読み出す読出ステップと、
前記読出ステップにおいて読み出された画像形成制御条件に基づき、前記画像形成装置の動作を制御する制御ステップと
を有することを特徴とするプログラム。
【請求項２０】
記録媒体の種別に応じた画像形成制御条件を記憶する外部装置にネットワークを介して接続するための接続手段を備え、内部に記憶されたデータを要求に応じて無線で送信することが可能なデータ送信子が埋め込まれた各種の記録媒体に対して画像形成を行う画像形成装置に適用される画像形成方法を、コンピュータに実行させるためのプログラムにおいて、
画像形成が行われるべき記録媒体に埋め込まれたデータ送信子から該記録媒体の種別を示すデータを取得するデータ取得ステップと、
前記接続手段を介して前記外部装置から、前記データ取得ステップにおいて取得された種別を示すデータに対応する画像形成制御条件を読み出す読出ステップと、
前記読出ステップによって読み出された画像形成制御条件に基づき、前記画像形成装置の動作を制御する制御ステップと
を有することを特徴とするプログラム。
【発明の詳細な説明】
【技術分野】
【０００１】
本発明は、画像形成装置、画像形成方法、及びプログラムに関し、特に、内部に記憶されたデータを要求に応じて無線で送信することが可能なデータ送信子が埋め込まれた各種の記録媒体に対して画像形成を行う画像形成装置、該画像形成装置に適用される画像形成方法、及び該画像形成方法をコンピュータに実行させるためのプログラムに関する。
【背景技術】
【０００２】
画像形成装置には一般に、潜像担持体上に形成されたトナー像を、予め転写電界を帯電されている記録媒体に対して転写して画像を得るようにした電子写真方式または静電記録方式の画像形成装置がある。また、記録媒体に直接画像を形成するようにしたインクジェット記録方式の画像形成装置がある。
【０００３】
いずれの方式の画像形成装置においても、常時バラツキのない画像形成を記録媒体に対して行うためには、記録媒体の種類や厚みに応じて画像形成の条件を適正に設定する必要がある。
【０００４】
こうしたことから従来の画像形成装置においては、画像形成の条件を記録媒体の種類や厚みに応じてその都度、手動で設定したり、あるいは記録媒体の種類や厚みをセンサを用いて検出して、その検出値に応じて画像形成の条件を設定したりすることが行われてきた。
【０００５】
また近年、個別情報を電子的に保持して電磁誘導により非接触で情報伝達するＩＤ素子（ＲＦＩＤ：Radio Frequency Identification）技術が開発され、物の識別管理のために応用され始めている。例えば、書類識別情報を無線通信で伝送可能なＲＦＩＤタグが紙製品に埋め込まれ、こうした紙製品に基づいて書類管理を行う書類管理システムが提案されている（特許文献１参照）。
【特許文献１】特開２００２−１２０４７５号公報
【発明の開示】
【発明が解決しようとする課題】
【０００６】
しかしながら、上記従来の前者の画像形成装置のように、センサの検出値に応じて画像形成条件を設定する画像形成装置では、センサが記録媒体の種類や厚みを高精度に検出することができないという問題があった。そのため、この従来の画像形成装置では、記録媒体にバラツキのない画像を高精度に形成することが困難であった。
【０００７】
また、上記従来の後者の書類管理システムのように、ＲＦＩＤタグが紙製品に埋め込まれ、こうした紙製品に基づいて書類管理を行う書類管理システムでは、ＲＦＩＤタグの記憶容量が小さ過ぎることが問題となる。すなわち、ＲＦＩＤタグは小型であることが重要視されるため、記憶容量は小さくならざるを得ず、現状では記憶容量は１２８ビット程度である。そのため、記録媒体のすべてのプロファイルをＲＦＩＤタグに記憶させることは不可能であった。また、記録媒体に応じた様々な設定値をＲＦＩＤタグに記憶させることも不可能であった。
【０００８】
本発明はこのような問題点に鑑みてなされたものであって、記録媒体に応じた画像形成を高精度に行うことを可能にした画像形成装置、画像形成方法、及びプログラムを提供することを目的とする。
【課題を解決するための手段】
【０００９】
上記目的を達成するために、請求項１記載の発明によれば、内部に記憶されたデータを要求に応じて無線で送信することが可能なデータ送信子が埋め込まれた各種の記録媒体に対して画像形成を行う画像形成装置において、記録媒体の種別に応じた画像形成制御条件を記憶する記憶手段と、画像形成が行われるべき記録媒体に埋め込まれたデータ送信子から該記録媒体の種別を示すデータを取得するデータ取得手段と、前記記憶手段から、前記データ取得手段によって取得された種別を示すデータに対応する画像形成制御条件を読み出す読出手段と、前記読出手段によって読み出された画像形成制御条件に基づき、前記画像形成装置の動作を制御する制御手段とを有することを特徴とする画像形成装置が提供される。
【００１０】
また、請求項９記載の発明によれば、内部に記憶されたデータを要求に応じて無線で送信することが可能なデータ送信子が埋め込まれた各種の記録媒体に対して画像形成を行う画像形成装置において、記録媒体の種別に応じた画像形成制御条件を記憶する外部装置に、ネットワークを介して接続するための接続手段と、画像形成が行われるべき記録媒体に埋め込まれたデータ送信子から該記録媒体の種別を示すデータを取得するデータ取得手段と、前記接続手段を介して前記外部装置から、前記データ取得手段によって取得された種別を示すデータに対応する画像形成制御条件を読み出す読出手段と、前記読出手段によって読み出された画像形成制御条件に基づき、前記画像形成装置の動作を制御する制御手段とを有することを特徴とする画像形成装置が提供される。
【００１１】
また、請求項１７記載の発明によれば、記録媒体の種別に応じた画像形成制御条件を記憶する記憶手段を備え、内部に記憶されたデータを要求に応じて無線で送信することが可能なデータ送信子が埋め込まれた各種の記録媒体に対して画像形成を行う画像形成装置に適用される画像形成方法において、画像形成が行われるべき記録媒体に埋め込まれたデータ送信子から該記録媒体の種別を示すデータを取得するデータ取得ステップと、前記記憶手段から、前記データ取得ステップにおいて取得された種別を示すデータに対応する画像形成制御条件を読み出す読出ステップと、前記読出ステップにおいて読み出された画像形成制御条件に基づき、前記画像形成装置の動作を制御する制御ステップとを有することを特徴とする画像形成方法が提供される。
【００１２】
また、請求項１８記載の発明によれば、記録媒体の種別に応じた画像形成制御条件を記憶する外部装置にネットワークを介して接続するための接続手段を備え、内部に記憶されたデータを要求に応じて無線で送信することが可能なデータ送信子が埋め込まれた各種の記録媒体に対して画像形成を行う画像形成装置に適用される画像形成方法において、画像形成が行われるべき記録媒体に埋め込まれたデータ送信子から該記録媒体の種別を示すデータを取得するデータ取得ステップと、前記接続手段を介して前記外部装置から、前記データ取得ステップにおいて取得された種別を示すデータに対応する画像形成制御条件を読み出す読出ステップと、前記読出ステップによって読み出された画像形成制御条件に基づき、前記画像形成装置の動作を制御する制御ステップとを有することを特徴とする画像形成方法が提供される。
【００１３】
さらに、上記画像形成方法をコンピュータに実行させるためのプログラムが提供される。
【発明の効果】
【００１４】
本発明によれば、画像形成が行われるべき記録媒体に埋め込まれたデータ送信子から該記録媒体の種別を示すデータを取得し、記録媒体の種別に応じた画像形成制御条件を記憶する記憶手段から、前記取得された種別を示すデータに対応する画像形成制御条件を読み出す。そして、この読み出された画像形成制御条件に基づき、画像形成装置の動作を制御する。
【００１５】
また、画像形成が行われるべき記録媒体に埋め込まれたデータ送信子から該記録媒体の種別を示すデータを取得し、記録媒体の種別に応じた画像形成制御条件を記憶する外部装置にネットワークを介して接続するための接続手段を介して該外部装置から、前記取得された種別を示すデータに対応する画像形成制御条件を読み出す。そして、この読み出された画像形成制御条件に基づき、画像形成装置の動作を制御する。
【００１６】
これにより、記録媒体の種別に応じた画像形成を高精度に行うことが可能となる。
【発明を実施するための最良の形態】
【００１７】
以下、本発明を実施するための最良の形態について、図面を参照して説明する。
【００１８】
まず、本発明の一実施の形態に係る画像形成装置の基本構成を、図１〜図４を参照して説明する。
【００１９】
図１は、本実施の形態に係る画像形成装置の全体構成を示す側断面図である。この画像形成装置はディジタルカラー複写機である。
【００２０】
図中の上部はカラーリーダ部の構成を示している。
【００２１】
１０１は撮像素子（以下「ＣＣＤ」という）、２１１は、ＣＣＤ１０１が実装された基板である。２００は、画像形成装置全体を制御する制御ボードであり、２１３は、他のデバイスとの通信を行う外部インターフェイス（Ｉ／Ｆ）である。
【００２２】
２０１は原稿台ガラス（プラテン）、２０２は原稿給紙装置（ＤＦ）である（なお、この原稿給紙装置２０２の代わりに、鏡面圧板を装着するようにしてもよい）。２０３及び２０４は、原稿を照明する光源（ハロゲンランプまたは蛍光灯）、２０５及び２０６は、光源２０３、２０４からの光を原稿に集光する反射傘である。２０７〜２０９はミラー、２１０は、原稿からの反射光または投影光をＣＣＤ１０１上に集光するレンズである。２１４は、光源２０３、２０４と反射傘２０５、２０６とミラー２０７とを収容するキャリッジ、２１５は、ミラー２０８、２０９を収容するキャリッジである。キャリッジ２１４は速度Ｖで、キャリッジ２１５は速度Ｖ／２で、ＣＣＤ１０１の電気的走査方向（主走査方向）に対して垂直方向（副走査方向）に機械的に移動し、これによって、原稿の全面が走査される。
【００２３】
図２は、図１に示す制御ボード２００の内部構成を示すブロック図である。
【００２４】
図２に示すように、制御ボード２００は、ディジタル画像処理部２１２、外部Ｉ／Ｆ２１３、プリンタ制御Ｉ／Ｆ２５３、システム制御部３０１、システム制御部３０１内のメモリ３０３、操作部３０２によって構成されている。システム制御部３０１は、ディジタル画像処理部２１２、外部Ｉ／Ｆ２１３、プリンタ制御Ｉ／Ｆ２５３との間でそれぞれ、制御情報を送受信するためのインターフェース（Ｉ／Ｆ）を持つ。操作部３０２はタッチパネル付き液晶装置によって構成され、この装置を介して、操作者が処理実行内容を入力したり、処理に関する情報、警告等が操作者に対して通知されたりする。
【００２５】
また外部Ｉ／Ｆ２１３は、画像情報やコード情報などを画像形成装置の外部装置とやり取りするためのインターフェースであり、これを、図３を参照して具体的に示す。
【００２６】
図３は、外部Ｉ／Ｆ２１３と画像形成装置の外部装置との接続関係を示すブロック図である。
【００２７】
図３に示すように、外部装置は、例えばファクシミリ装置４０１、ＬＡＮインターフェース装置４０２、外部大容量記憶装置４０３などである。画像形成装置には、外部Ｉ／Ｆ２１３およびコネクタを介して、ファクシミリ装置４０１、ＬＡＮインターフェース装置４０２、外部大容量記憶装置４０３などを接続することが可能である。外部Ｉ／Ｆ２１３と、各外部装置との間の画像情報およびコード情報の送受信手続き制御は、各外部装置と制御ボード２００のシステム制御部３０１との間の相互通信により行われる。
【００２８】
図４は、図２に示すディジタル画像処理部２１２の内部構成を示すブロック図である。
【００２９】
まず図１において、原稿台ガラス２０１上の原稿は光源２０３、２０４からの光を反射し、その反射光はＣＣＤ１０１に導かれて電気信号に変換される。ＣＣＤ１０１はカラーセンサの場合、ＲＧＢのカラーフィルタが１ラインＣＣＤ上にＲＧＢ順に乗ったものであってもよいし、３ラインＣＣＤであって、それぞれＲフィルタ、Ｇフィルタ、ＢフィルタをそれぞれのＣＣＤごとに並べたものでもよい。また、フィルタがオンチップ化したものでも、またはフィルタがＣＣＤと別構成になったものでもよい。
【００３０】
ＣＣＤ１０１から出力された電気信号（アナログ画像信号）は、制御ボード２００のディジタル画像処理部２１２に入力され、図４に示すように、クランプ＆Ａｍｐ．＆Ｓ／Ｈ＆Ａ／Ｄ部１０２に入力される。クランプ＆Ａｍｐ．＆Ｓ／Ｈ＆Ａ／Ｄ部１０２では、電気信号（アナログ画像信号）は、サンプルホールド（Ｓ／Ｈ）され、アナログ画像信号のダークレベルが基準電位にクランプされる。そして更に、所定量に増幅され、Ａ／Ｄ変換されて、例えばＲＧＢ各８ビットのディジタル信号に変換される（これらの処理順番は名称における表記順とは必ずしも一致しない）。
【００３１】
続いてＲＧＢディジタル信号はシェーディング部１０３へ送られ、シェーディング補正及び黒補正が施される。補正後のＲＧＢディジタル信号はさらに、つなぎ＆ＭＴＦ補正＆原稿検知部１０４に送られる。つなぎ＆ＭＴＦ補正＆原稿検知部１０４においては、ＣＣＤ１０１が３ラインＣＣＤの場合、つなぎ処理では、ライン間の読取位置が異なるため、読取速度に応じてライン毎の遅延量を調整し、３ラインの読取位置が同じになるように信号タイミングを補正する。そして、ＭＴＦ補正では、読取速度や変倍率によって読取のＭＴＦ（Modulation Transfer Function; レンズ性能を評価する指標のひとつで、レンズの結像性能を知るために、被写体の持つコントラストをどの程度忠実に再現できるかを空間周波数特性として表現したもの）が変るため、その変化を補正する。原稿検知では、原稿台ガラス２０１上の原稿を走査することにより原稿サイズを認識する。
【００３２】
こうして読取位置タイミングが補正されたディジタル信号は入力マスキング部１０５に送られ、そこで、ＣＣＤ１０１の分光特性並びに光源２０３、２０４及び反射傘２０５、２０６の分光特性が補正される。入力マスキング部１０５の出力は、外部Ｉ／Ｆ信号との切り換え可能なセレクタ１０６に入力される。セレクタ１０６から出力された信号は、色空間圧縮＆下地除去＆ＬＯＧ変換部１０７と下地除去部１１５とに入力される。
【００３３】
下地除去部１１５に入力された信号は下地除去され、その後、黒文字判定部１１６に入力されて、信号が原稿中の黒い文字を表しているか否かが判定され、黒い文字を表しているならば黒文字信号が黒文字判定部１１６から出力される。
【００３４】
色空間圧縮＆下地除去＆ＬＯＧ変換部１０７において、色空間圧縮では、読み取った画像信号がプリンタで再現できる範囲に入っているか否かを判断し、入っている場合はそのまま、入っていない場合は画像信号をプリンタで再現できる範囲に入るように補正する。そして、下地除去処理を行い、ＬＯＧ変換では、ＲＧＢ信号からＣＭＹ信号への変換を行う。そして、色空間圧縮＆下地除去＆ＬＯＧ変換部１０７の出力信号は、黒文字判定部１１６で生成された信号との間でタイミング補正するため、遅延部１０８でタイミング調整を行なわれる。
【００３５】
遅延部１０８からの出力信号と黒文字判定部１１６からの出力信号とは、モワレ除去部１０９でモワレの除去を行われ、次の変倍処理部１１０で、主走査方向に変倍処理される。
【００３６】
次のＵＣＲ＆マスキング＆黒文字反映部１１１においては、ＵＣＲ処理で、変倍処理部１１０からの出力信号がＣＭＹＫ信号に変換され、マスキング処理で、プリンタの出力にあった信号に補正される。そして黒文字反映で、黒文字判定部１１６で生成された判定信号がＣＭＹＫ信号にフィードバックされる。
【００３７】
ＵＣＲ＆マスキング＆黒文字反映部１１１で処理された信号は、γ補正部１１２に送られ、ここで指定のガンマテーブルを用いて濃度調整される。その後フィルタ部１１３で、スムージング処理またはエッジ処理される。
【００３８】
なお、γ補正部１１２の補正値は、システム制御部３０１からの設定により可変にできる構成になっており、濃度調整値がＣＭＹＫの各色で設定でき、各濃度を可変できる構成となっている。
【００３９】
次に図１に戻って、プリンタ部の構成について説明する。プリンタ部はフルカラープリンタで構成され、それを図１の下部に示す。
【００４０】
像担持体としての感光体ドラム（以下、単に「感光体」という）２２５は、図示しない作像系モータで矢印Ａの方向に回転できるように設けられる。感光体２２５の周囲には、一次帯電器２２１、露光装置２１８、黒現像ユニット２１９、カラー現像ユニット２２３、１次転写ローラ２２０、クリーナ装置２２２、除電装置２９０、電位センサ２９１が配置される。
【００４１】
黒現像ユニット２１９は、モノクロ現像のための現像装置であり、感光体２２５上の潜像をＫのトナーで現像する。またカラー現像ユニット２２３は、フルカラー現像のための３台の現像装置２２３Ｙ、２２３Ｍ、２２３Ｃからなる。現像装置２２３Ｙ、２２３Ｍ、２２３Ｃは、感光体２２５上の潜像をそれぞれＹ、Ｍ、Ｃのトナーで現像する。各色のトナーを現像する際には、図示しない現像器モータによってカラー現像ユニット２２３を矢印Ｒ方向に回転させ、当該色の現像装置が感光体２２５に当接するように位置を合わされる。
【００４２】
感光体２２５上に現像された各色のトナー像は、転写帯電器２２０によって中間転写体としてのベルト２２６に順次転写されて、４色のトナー像が重ね合わされる。ベルト２２６はローラ２２７、２２８、２２９に張架されている。これらのうち、ローラ２２７は、作像系モータ０２３（図５）に結合されてベルト２２６を駆動する駆動ローラとして機能する。またローラ２２８は、ベルト２２６の張力を調節するテンションローラとして機能し、ローラ２２９は、２次転写装置としての転写ローラ２３１のバックアップローラとして機能する。
【００４３】
転写ローラ脱着ユニット２５０は、転写ローラ２３１をベルト２２６に接着または離脱させるための駆動ユニットである。ベルト２２６を挟んでローラ２２７と対向する位置にはベルトクリーナ２３２が設けられる。ベルトクリーナ脱着ユニット２６８は、ベルトクリーナ２３２をベルト２２６に接着または離脱させるための駆動ユニットである。ベルトクリーナ脱着ユニット２６８によってベルトクリーナ２３２がベルト２２６に接着されると、ベルト２２６上の残留トナーがクリーニングされる。
【００４４】
カセット２４０、２４１及び手差し給紙部２８３に格納された記録媒体は、レジローラ２５５及び給紙ローラ対２３５、２３６、２３７によってニップ部（転写ローラ２３１とベルト２２６との当接部）に給紙駆動モータ（図示せず）を駆動源として給送される。なお、転写ローラ脱着ユニット２５０が転写ローラ２３１をベルト２２６に接着させるべく駆動することによって、転写ローラ２３１はベルト２２６に当接されている。
【００４５】
ベルト２２６上に形成されたトナー像は、このニップ部で記録媒体上に転写され、定着装置２３４で熱定着され、定着駆動モータ（図示せず）により装置外へ排出される。
【００４６】
なお、カセット２４０、２４１及び手差し給紙部２８３はそれぞれ、記録媒体の有無を検知するための検出センサ２４３、２４４、２４５を有している。また、カセット２４０、２４１及び手差し給紙部２８３はそれぞれ、記録媒体のピックアップ不良を検知するための給紙センサ２４７、２４８、２４９を有している。
【００４７】
このように構成されたプリンタ部では、次のようにして画像形成が実行される。
【００４８】
まず給紙部における記録媒体の搬送動作について説明する。
【００４９】
カセット２４０、２４１及び手差し給紙部２８３に格納された記録媒体はそれぞれ、ピックアップローラ２３８、２３９、２５４により１枚毎に給紙パス上に搬送される。給紙パス上の記録媒体はそれぞれ、給紙ローラ対２３５、２３６、２３７によりレジローラ２５５へと搬送されると、その直前のレジセンサ２５６により記録媒体の通過が検知される。レジセンサ２５６により記録媒体の通過が検知されると、本実施の形態では、所定の時間の経過後に一旦搬送動作を中断する。その結果、記録媒体は、回転停止しているレジローラ２５５に突き当たり搬送が停止される。その際、記録媒体の進行方向端部が、搬送経路に対して垂直になるように姿勢調整がなされ、記録媒体の搬送方向が搬送経路に対してずれることにより斜行が発生している場合の給紙パス搬送方向補正がなされる。この処理を通常「給紙レジ取り」と称する。給紙レジ取りは、記録媒体に対する画像形成方向の傾きを最小化するために必須である。給紙レジ取り後、レジローラ２５５を起動させることにより、記録媒体は転写ローラ２３１へ供給される。
【００５０】
続いて、転写ローラ２３１へ供給された記録媒体の上へ画像を形成する手順について説明する。
【００５１】
まず、帯電装置２２１に電圧を印加して感光体２２５の表面を所定の帯電電位で一様にマイナス帯電させる。続いて、帯電された感光体２２５上に、レーザスキャナからなる露光装置２１８で露光を行い、所定の露光部電位の潜像が形成される。露光装置２１８は、画像信号に基づいてレーザ光をオン、オフすることにより、画像に対応した潜像を感光体２２５上に形成する。
【００５２】
黒現像装置２１９及びカラー現像装置２２３の現像ローラには各色毎に予め設定された現像バイアスが印加されており、上記潜像は該現像ローラの位置を通過する時にトナーで現像され、トナー像として可視化される。トナー像は、１次転写ローラ２２０でベルト２２６に転写され、さらに転写ローラ２３１で、給紙部より搬送された記録媒体に転写され、その後、定着搬送ベルト２３０を介して、定着装置２３４へと搬送される。
【００５３】
定着装置２３４では、まずトナーの吸着力を補って画像乱れを防止するために、記録媒体に定着前帯電器２５１、２５２で帯電され、さらに定着ローラ対２３３でトナー画像が熱定着される。その後、排紙フラッパ２５７により排紙パス２５８側に搬送パスを切替えられ、記録媒体はフィニッシャユニット２８０に送られる。なお、フィニッシャユニット２８０での後処理工程が不要な記録媒体は、そのまま搬送されて排紙トレイ２４２に排紙される。一方、後処理工程、例えばステイプルが必要な記録媒体は、フィニッシャユニット２８０内で所定枚数だけ積載され、整合ユニット２８１で整合され、ステイプルユニット２８２でステイプル処理され、その後に排紙トレイ２４２に排出される。
【００５４】
フルカラープリント時には、ベルト２２６上で４色のトナーが重ね合わされた後、記録媒体に転写される。
【００５５】
感光体２２５上に残留したトナーは、クリーナ装置２２２で除去、回収される。
【００５６】
最後に、感光体２２５は、除電装置２９０で一様に０ボルト付近まで除電されて、次の画像形成サイクルに備える。
【００５７】
プリンタ部における画像形成タイミングは、ベルト２２６上の所定位置を基準として制御される。
【００５８】
ベルト２２６は、駆動ローラ２２７、テンションローラ２２８、バックアップローラ２２９からなるローラ類に掛け渡されていて、テンションローラ２２８によって所定の張力が与えられる。
【００５９】
駆動ローラ２２７とローラ２２８との間には、基準位置を検知するための反射型センサ２２４が配置されている。反射型センサ２２４は、ベルト２２６の内周面に設けられた反射テープ等のマーキングを検知してＩ−ｔｏｐ信号を出力する。
【００６０】
感光体２２５の外周の長さとベルト２２６の周長とは、１：ｎ（ｎは整数）で表される整数比になっている。このように設定しておくと、ベルト２２６が１周する間に、感光体２２５が整数回回転し、ベルト２２６の１周前とまったく同じ状態に戻る。これによって、中間転写ベルト２２６上に４色のトナーを重ね合わせる際に（ベルト２２６は４周する）、感光体２２５の回転ムラによる色ズレを回避することが可能である。
【００６１】
上記のような中間転写方式の画像形成装置においては、Ｉ−ｔｏｐ信号を検知したのち、所定時間経過後にレーザスキャナからなる露光装置２１８で露光を開始する。また、前述したとおり、ベルト２２６が１周する間に、感光体２２５が整数回回転し、ベルト２２６の１周前とまったく同じ状態に戻るため、ベルト２２６上では常に同じ位置にトナー像が形成される。用紙サイズによって、トナー像サイズも変化するが、ベルト２２６上にはトナー像が絶対にのらない範囲が存在する。
【００６２】
また、短い用紙サイズ用の画像の場合には、ベルト２２６は、２画像分のトナー像を形成することが可能なベルト長になっている。これによって、特に４色重ね合わせたカラー画像を、ベルト２２６を４回転するだけで２枚分形成することが可能となり、生産性が向上する。
【００６３】
引き続いて、記録媒体の裏面に画像を形成する場合の動作について詳細に説明する。
【００６４】
記録媒体の裏面に画像を形成する際には、まず記録媒体の表面への画像形成が先んじて実行される。その表面への画像形成動作については先に詳細に述べたのでここでは説明を省略する。
【００６５】
表面のみの画像形成であれば、画像形成後、定着器２３４でトナー画像を熱定着した後に、排紙フラッパ２５７により排紙パス２５８側に搬送パスを切替えられ、記録媒体はそのまま排紙トレイ２４２に排紙される。しかし、引き続いて裏面の画像形成を行う場合には、排紙フラッパ２５７により裏面パス２５９側に搬送パスが切替えられ、記録媒体は、反転ローラ２６０の回転駆動によって両面反転パス２６１内に一旦搬送される。その後記録媒体は、記録媒体の送り方向幅の分だけ両面反転パス２６１内に搬送される。そして反転ローラ２６０の逆回転駆動と両面パス搬送ローラ２６２の駆動とにより、記録媒体は、表面に画像形成された画像面を上向きにして両面パス２６３に搬送される。
【００６６】
続いて、記録媒体が両面パス２６３上を再給紙ローラ２６４に向って搬送されると、その直前の再給紙センサ２６５により記録媒体の通過が検知される。再給紙センサ２６５により記録媒体の通過が検知されると、本実施の形態では所定の時間の経過の後に一旦搬送動作を中断する。その結果、記録媒体は、停止している再給紙ローラ２６４に突き当たり、搬送が一時停止される。これにより、記録媒体の進行方向端部が搬送経路に対して垂直になるように姿勢調整がなされ、記録媒体の搬送方向が再給紙パス内の搬送経路に対してずれる斜行が発生している場合における再給紙パス搬送方向補正がなされる。この処理を通常「再給紙レジ取り」と称する。この再給紙レジ取りは、記録媒体裏面に対する画像形成方向の傾きを最小化するために必須である。
【００６７】
再給紙レジ取り後、再給紙ローラ２６４を起動させることにより、表裏が逆転した状態の記録媒体が、再度給紙パス上に搬送される。その後の画像形成動作については先に述べた表面の画像形成動作と同じであるので、ここでは説明を省略する。
【００６８】
こうして表裏両面に画像形成がなされた記録媒体は、そのまま排紙フラッパ２５７により排紙パス２５８側に搬送パスを切替えられ、そのまま排紙トレイ２４２に排紙される。
【００６９】
以上のような動作により、本実施の形態では、操作者が記録媒体の表裏を反転させることなく、自動的に記録媒体の両面へ画像形成を行うことが可能となっている。
【００７０】
次に、ＩＤ素子（Radio Frequency Identification、以下「ＲＦＩＤ」という）に関する説明を行う。
【００７１】
図５は、画像形成装置のプリンタ部の動作を制御する制御部の構成を示すブロック図である。
【００７２】
この制御部は、プリンタ制御部００１、駆動回路部００２、高圧電源００３、環境センサ７０１、各モータ０２０〜０２４で構成されるとともに、図１に示すプリンタ部の各構成部分も含む。さらに、ＲＦＩＤタグのデータを読み取るＲＦＩＤタグ読取り部２７３と、記録媒体の紙種ごとの制御設定値を格納したメモリ７００とが含まれる。
【００７３】
なお、プリンタ制御部００１は、中央演算装置（ＣＰＵ）、ＣＰＵが実行する制御プログラムを記憶するＲＯＭ（Read Only Memory）、ＣＰＵが演算に使用するＲＡＭ（Random Access Memory）等から構成される。そして、プリンタ制御部００１が行う後述の各処理は、上記の制御プログラムをＣＰＵが実行することによって実現するものである。
【００７４】
図６は、記録媒体に埋め込まれたＲＦＩＤタグを示す図である。（Ａ）は記録媒体６２０とＲＦＩＤタグ６０１とを示し、（Ｂ）はＲＦＩＤタグ６０１を拡大した図である。
【００７５】
図６（Ｂ）に示すように、ＲＦＩＤタグ６０１にはアンテナ６１０、６１１が接続される。
【００７６】
図５に戻って、ＲＦＩＤタグ読取り部２７３は、記録媒体を収納するカセットデッキ、カセット２４０、２４１、および手差し給紙部２８３にそれぞれ搭載され、記録媒体上のＲＦＩＤタグのデータを読み取る。すなわち、例えばカセット２４０、２４１に記録媒体が収納されて、カセット２４０、２４１内の収納開閉検知センサ（図示せず）から、収納扉が閉じられたという検知信号がプリンタ制御部００１に送られる。これにより、ＲＦＩＤタグ読取り部２７３がＲＦＩＤタグからデータを読み出す処理が開始される。また、収納開閉検知センサから検知信号が送られなくとも、ＲＦＩＤタグ読取り部２７３が常時ＲＦＩＤタグを監視することにより、記録媒体の情報をデータとして入手することが可能である。
【００７７】
図７は、ＲＦＩＤタグ６０１の内部構成を示すブロック図である。
【００７８】
ＲＦＩＤタグ６０１は、電源が切れてもデータを失わないＥＥＰＲＯＭ等からなるメモリ６０２を有している。メモリ６０２の記憶容量は１２８ビットであり、このメモリ６０２には、ＲＦＩＤタグ６０１が埋め込まれている記録媒体の紙種を示すデータが格納されている。
【００７９】
アンテナ６１０に相当するコイル６０５が、ＲＦＩＤタグ読取り部２７３から送られた電磁波（データ通信変調波）を受信して変復調部６０４へ送る。変復調部６０４は、受信信号を復調してコマンドを抽出し、メモリ制御部６０３へ送る。メモリ制御部６０３は、送られたコマンドがリードコマンドである場合、メモリ６０２に格納されたデータを読み出して変復調部６０４へ送る。変復調部６０４は、送られたデータを変調し、コイル６０５から電磁波としてＲＦＩＤタグ読取り部２７３へ出力する。
【００８０】
一方、アンテナ６１１に相当するコイル６０７が、ＲＦＩＤタグ読取り部２７３から送られた電磁波（電力伝送波）に基づき誘導起電力を発生し、これを電源回路６０６へ送る。この誘導起電力に基づき、上記の変復調部６０４、メモリ制御部６０３、およびメモリ６０２が動作する。
【００８１】
ＲＦＩＤタグ６０１は、図７に示す構成を１チップＩＣに集積している。
【００８２】
つぎに、図８を参照して、ＲＦＩＤタグ読取り部２７３から送られるリードコマンドに従って、ＲＦＩＤタグ６０１のメモリ６０２からデータを読み出す過程を説明する。
【００８３】
図８は、ＲＦＩＤタグ読取り部２７３から送られるリードコマンドと、該リードコマンドによってＲＦＩＤタグ６０１のメモリ６０２から読み出されるデータとを示すタイミングチャートである。
【００８４】
まず、ＲＦＩＤタグ読取り部２７３のリード回路（図１０を参照して後述）から電力伝送波が送出されると、図７のコイル６０７がこの電力伝送波を受信し、電源回路６０６から誘導起電力が発生される。この誘導起電力が変復調部６０４、メモリ制御部６０３、およびメモリ６０２に電源として供給される。これにより、変復調部６０４が、コイル６０５が受信した電波を復調して、コマンドを含むシリアルデータＤＩ（図８（Ａ））を抽出し、メモリ制御部６０３へ送る。メモリ制御部６０３は、変復調部６０４から送られたシリアルデータＤＩを監視し、ビット０（低レベルビット）からビット１（高レベルビット）への変移を検出する。シリアルデータＤＩにおけるビット０からビット１への変移が検出された場合に、該ビット１はスタートビットを示し、このスタートビットに続く２ビット分がコマンドとなる。なお、シリアルデータＤＩにおける各ビットは、図８（Ｂ）に示すような所定の周期ｆを持つが、この周期ｆは、リード回路とＲＦＩＤタグ６０１とにおける回路構成に依存する。これに代わって、周期ｆで発振するクロックを発生する同期クロック発生部を設け、シリアルデータＤＩを、このクロックに同期させるようにしてもよい。
【００８５】
図９は、スタートビットに続く２ビット分の値と制御内容との対応関係を示す図である。
【００８６】
すなわち、スタートビットに続く２ビット分の値が１、０であれば、コマンドはリードコマンドであり、この場合には、メモリ６０２からデータの読み出しを行う。また０、１であれば、コマンドはライトコマンドであり、この場合には、メモリ６０２に対してデータの書き込みを行う。
【００８７】
図８（Ａ）では、スタートビットに続く２ビット分の値が１、０であるので、リードコマンドであることが分かる。
【００８８】
リードコマンドを送られたメモリ制御部６０３は、メモリ６０２をリードモードに制御し、メモリ６０２に格納されているデータ（Ｄ０〜Ｄ１２７）をシリアルデータＤＯ（図８（Ｂ））として読み出し、変復調部６０４へ送る。変復調部６０４は、シリアルデータＤＯを変調して、コイル６０５より電波としてＲＦＩＤタグ読取り部２７３に送出する。
【００８９】
次に、ＲＦＩＤタグ読取り部２７３に実装されるリード回路について説明する。
【００９０】
図１０は、ＲＦＩＤタグ読取り部２７３に実装されるリード回路の構成を示す回路図である。
【００９１】
図１０において、Ｒ／Ｗコイル（リーダ及び／またはライタコイル）１４０１は、図７に示すＲＦＩＤタグ６０１に形成されたコイル６０５、６０７との間で、電力伝送波およびデータ通信変調波からなる電磁波の送受信を行う。なお、リード回路に、電力伝送波用のアンテナとデータ通信変調波用のアンテナとを別々に設けてもよい。
【００９２】
図１１は、ＲＦＩＤタグ読取り部２７３のリード回路におけるＲ／Ｗコイル１４０１から送出される電磁波の周波数スペクトラムを示す図である。
【００９３】
図１１において１５０１は、周波数２７．０２ＭＨｚの電力伝送波であり、図７のコイル６０７によってＲＦＩＤタグ６０１が受信し、ＲＦＩＤタグ６０１を駆動する電力源となるものである。
【００９４】
また、１５０２は、周波数２７．０２ＭＨｚを中心周波数とするデータ通信変調波であり、図７のコイル６０５によってＲＦＩＤタグ６０１が受信し、ＲＦＩＤタグ６０１に対するコマンドを送るためのものである。なお、ＲＦＩＤタグ６０１からＲＦＩＤタグ読取り部２７３へ送るデータも、このデータ通信変調波１５０２を利用する。
【００９５】
図１０において、キャリア信号発生回路１４０２が、周波数２７．０２ＭＨｚのキャリア信号を発生する。一方、符号化回路１０４３が、不図示のデータ処理部から送られＲＦＩＤタグ６０１へ送信すべきコマンドデータを符号化する。変調器１４０４は、キャリア信号発生回路１４０２で発生された周波数２７．０２ＭＨｚのキャリア信号に、符号化回路１０４３で符号化されたコマンドデータをＡＳＫ（Amplitude Shift Keying）変調により重畳する。送信アンプ１４０５は、変調器１４０４から出力された変調信号を増幅する。
【００９６】
送信アンプ１４０５で増幅された変調信号は、インダクタンス結合部１４０６を介して整合回路（給電回路）１４０８に送られる。整合回路（給電回路）１４０８は、このインダクタンス結合部１４０６の他、コンデンサ１４０７とＲ／Ｗコイル１４０１とを有している。コンデンサ１４０７は、インピーダンスマッチングを行って反射防止をするためのものである。Ｒ／Ｗコイル１４０１は、インダクタンス結合部１４０６を介して得られた変調信号に基づき、データ通信変調波と電力伝送波とからなる電磁波を発生する。
【００９７】
また、Ｒ／Ｗコイル１４０１は、ＲＦＩＤタグ６０１のコイル６０５から発生された電磁波を受信する。この受信信号は、インダクタンス結合部１４０６を介してフィルタ１４０９に送られ、ここでノイズ成分が取り除かれる。ノイズ成分が取り除かれた受信信号は、受信アンプ１４１０で増幅され、復調器１４１１へ送られる。復調器１４１１は、受信信号を、キャリア信号発生回路１４０２で発生された周波数２７．０２ＭＨｚのキャリア信号を用いて復調する。次の復号化回路１４１２は、復調器１４１１で復調された信号を復号化して受信データとしてデータ処理部へ出力する。
【００９８】
このようにリード回路では、不図示のデータ処理部から送られたコマンドデータをＡＳＫ変調して、Ｒ／Ｗコイル１４０１から発信し、また、Ｒ／Ｗコイル１４０１で受信したＡＳＫ変調データを復調して受信データを得てデータ処理部へ送る。
【００９９】
ところで、記録媒体に埋め込まれたＲＦＩＤタグ６０１のメモリ６０２には、対応する記憶媒体の紙種を示すデータが格納されている。すなわち例えば、対応する記憶媒体の紙種が普通紙であるならば０、厚紙であるならば１が、データとしてメモリ６０２に格納されている。そこで、ＲＦＩＤタグ読取り部２７３が、記録媒体に埋め込まれたＲＦＩＤタグ６０１からこうしたデータを読み出し、プリンタ制御部００１が、メモリ７００を参照して、そのデータに対応する制御設定値を取得し、該制御設定値に基づき、画像形成装置を制御する。これを、図５を参照して以下に説明する。
【０１００】
まず、ＲＦＩＤタグ読取り部２７３がＲＦＩＤタグ６０１のメモリ６０２から、記憶媒体の紙種を示すデータを読み取り、このデータをプリンタ制御部００１に送る。
【０１０１】
一方、環境センサ７０１が、温度、湿度等を測定して、測定値をプリンタ制御部００１に送る。すなわち、記録媒体の特性は周囲の環境条件により左右される。特に記録媒体に含まれる絶対水分量に大きく左右される。そのため、プリンタ制御部００１は、環境センサ７０１から送られた測定値に基づき、記録媒体に含まれる絶対水分量を推定し、例えば大中小の３段階に分ける。そして、大＝２、中＝１、小＝０と定める。
【０１０２】
そしてプリンタ制御部００１は、記憶媒体の紙種を示すデータと記録媒体に含まれる絶対水分量を示すデータとに基づき、リードアドレスを作成する。例えば、記憶媒体の紙種を示すデータが０であり、記録媒体に含まれる絶対水分量を示すデータが２であるならば、リードアドレスを０２とする。記憶媒体の紙種を示すデータが１であり、記録媒体に含まれる絶対水分量を示すデータが１であるならば、リードアドレスを１１とする。そして、プリンタ制御部００１は、メモリ７００を参照して、リードアドレスに対応する制御設定値を取得する。
【０１０３】
図１２は、メモリ７００におけるリードアドレスと制御設定値（格納情報）との対応関係の一部を示す図である。この図１２では、リードアドレス０２０〜０２Ｄ（１６進数）のメモリ領域だけを例に挙げて示し、他のアドレスのメモリ領域については省略している。また図１２では、メモリ領域に格納されるものとして制御設定値および対応する記録媒体の厚み情報だけを例に挙げて示しているが、この他に、対応する記録媒体のサイズ情報、紙種情報、色情報、製造年月、製造メーカ情報等も含まれる。
【０１０４】
プリンタ制御部００１は、記憶媒体の紙種データと絶対水分量データとに基づき作成されたリードアドレスが、例えば０２であった場合、メモリ７００における０２を先頭部にもつリードアドレスの各領域の格納情報を取得する。図１２の例では、メモリ７００におけるリードアドレス０２０〜０２Ｄにそれぞれ格納されている制御設定値を取得する。
【０１０５】
そしてプリンタ制御部００１は、リードアドレス０２０の領域から読み出された搬送スピード設定値を画像形成時の記録媒体の最適な搬送速度として設定する。すなわち、駆動回路部００２を介して、現像器モータ０２０、給紙駆動モータ０２１、定着駆動モータ０２２、作像系モータ０２３、両面搬送モータ０２４、露光装置２１８内のポリゴンモータ（図示せず）の速度制御を行い、記録媒体を最適速度で搬送する。
【０１０６】
また、プリンタ制御部００１は、リードアドレス０２１〜０２Ａの領域から読み出された各高圧設定値に応じて高圧電源００３を設定する。これによって、記録媒体の紙種や、環境条件に応じた最適な画質が得られる。
【０１０７】
また、プリンタ制御部００１は、リードアドレス０２Ｂの領域から読み出された定着ヒータ温度設定値に応じて、駆動回路部００２に接続された定着装置２３４における定着ヒータ温度を設定する。これにより、記録媒体の紙種や、環境条件に応じた最適な画質が得られる。
【０１０８】
また、プリンタ制御部００１は、リードアドレス０２Ｃの領域から読み出されたガンマテーブルＮｏに応じて、図４のγ補正部１１２において使用すべきガンマテーブルを選択する。これにより、記録媒体の下地色に最も適した色味および濃度を持った画像が記録媒体に形成される。
【０１０９】
また、プリンタ制御部００１は、リードアドレス０２Ｄの領域から読み出された厚さに応じて、ステイプル処理を伴う画像形成動作の実行／不実行を制御する。すなわち、操作部３０２を介してユーザからステイプル処理を伴う画像形成を指定された場合に、プリンタ制御部００１は、リードアドレス０２Ｄの領域から読み出された厚さに基づいて、ステイプル処理の対象となる積載された記録媒体の総厚み量を算出する。そして、この総厚み量を、ステイプルユニット２８２のステイプル処理可能な記録媒体の最大積載総厚み量と比較する。その結果、これから行うべきステイプル処理の対象である積載記録媒体の総厚み量が、ステイプル処理可能な最大積載総厚み量を超えている場合は、これから行うべき画像形成処理を開始させずに、操作部３０２の表示部に警報を表示する。一方、これから行うべきステイプル処理の対象である積載記録媒体の総厚み量が、ステイプル処理可能な最大積載総厚み量を超えていなければ、プリンタ制御部００１は、これから行うべき画像形成処理を開始させる。
【０１１０】
以上のようにして、本実施の形態では、記録媒体に応じた画像形成を高精度に行うことが可能となる。
【０１１１】
〔他の実施の形態〕
上記の実施の形態では、画像形成装置のプリンタ部の動作を制御する制御部（図５）にメモリ７００が含まれ、このメモリ７００に記録媒体の紙種ごとの制御設定値が格納されている。これに代わって、ネットワークを介して画像形成装置をサーバに接続し、このサーバに、記録媒体の紙種ごとの制御設定値を格納するようにしてもよい。この場合、プリンタ制御部００１は、ＲＦＩＤタグ読取り部２７３により読み取られたデータに応じてＵＲＬ（Uniform Resource Locator）を作成し、このＵＲＬに基づいてネットワークにおける対応のサーバにアクセスする。これによって、プリンタ制御部００１は、各記録媒体に応じた制御設定値を受信し、受信した制御設定値に基づき、上記の実施の形態と同様に、画像形成を制御することができ、記録媒体に応じた高精度な画像形成を行うことができる。
【０１１２】
なお本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１１３】
この場合、記憶媒体から読み出されたプログラムコード自体が前述した実施の形態の機能を実現することになり、そのプログラムコード及び該プログラムコードを記憶した記憶媒体は本発明を構成することになる。
【０１１４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１１５】
また、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１１６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した実施の形態の機能が実現される場合も含まれる。
【０１１７】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【０１１８】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１１９】
【図１】本実施の形態に係る画像形成装置の全体構成を示す側断面図である。
【図２】図１に示す制御ボードの内部構成を示すブロック図である。
【図３】図２に示す外部Ｉ／Ｆと画像形成装置の外部装置との接続関係を示すブロック図である。
【図４】図２に示すディジタル画像処理部の内部構成を示すブロック図である。
【図５】画像形成装置のプリンタ部の動作を制御する制御部の構成を示すブロック図である。
【図６】記録媒体に埋め込まれたＲＦＩＤタグを示す図である。
【図７】ＲＦＩＤタグの内部構成を示すブロック図である。
【図８】ＲＦＩＤタグ読取り部から送られるリードコマンドと、該リードコマンドによってＲＦＩＤタグのメモリから読み出されるデータとを示すタイミングチャートである。
【図９】スタートビットに続く２ビット分の値と制御内容との対応関係を示す図である。
【図１０】ＲＦＩＤタグ読取り部に実装されるリード回路の構成を示す回路図である。
【図１１】ＲＦＩＤタグ読取り部のリード回路におけるＲ／Ｗコイルから送出される電磁波の周波数スペクトラムを示す図である。
【図１２】メモリにおけるリードアドレスと制御設定値（格納情報）との対応関係の一部を示す図である。
【符号の説明】
【０１２０】
００１  プリンタ制御部（読出手段、制御手段）
００２  駆動回路部
００３  高圧電源
０２０〜０２４  各モータ
２１８  露光装置
２３４  定着装置
２７３  ＲＦＩＤタグ読取り部（データ取得手段）
６０１  ＲＦＩＤタグ（データ送信子）
６２０  記録媒体
７００  メモリ（記憶手段）
７０１  環境センサ
【図１】
2007199113.tif 000003
【図２】
2007199113.tif 000004
【図３】
2007199113.tif 000005
【図４】
2007199113.tif 000006
【図５】
2007199113.tif 000007
【図６】
2007199113.tif 000008
【図７】
2007199113.tif 000009
【図８】
2007199113.tif 000010
【図９】
2007199113.tif 000011
【図１０】
2007199113.tif 000012
【図１１】
2007199113.tif 000013
【図１２】
2007199113.tif 000014